(57)【要約】【課題】  屈曲部における伝搬モード分散を抑制し、高品質な信号伝送可能な電波伝送ケーブルを提供する。【解決手段】  屈曲性を有する線状の誘電体と、前記線状の誘電体の表面に形成した金属薄膜を備える電波伝送ケーブルであって、前記誘電体の断面において、中心に対して対称になるように、前記誘電体内に空孔または前記誘電体よりも誘電率の低い低誘電率領域を有するものである。【選択図】図８
2020096323.tif 000002
【特許請求の範囲】
【請求項１】
屈曲性を有する線状の誘電体と、前記線状の誘電体の表面に形成した金属薄膜を備える電波伝送ケーブルであって、
前記誘電体の断面において、中心に対して対称になるように、前記誘電体内に空孔または前記誘電体よりも誘電率の低い低誘電率領域を有することを特徴とする電波伝送ケーブル。
【請求項２】
請求項１に記載の電波伝送ケーブルにおいて、
前記誘電体の断面形状が楕円形であり、楕円形の焦点よりも内側でかつ短軸に対して線対称になるように、前記誘電体内に空孔または前記誘電体よりも誘電率の低い低誘電率領域を有することを特徴とする電波伝送ケーブル。
【請求項３】
請求項２に記載の電波伝送ケーブルにおいて、
前記楕円形の誘電体の短軸と長軸の長さ比が１:１．５以上であることを特徴とする電波伝送ケーブル。
【請求項４】
請求項２に記載の電波伝送ケーブルにおいて、
前記空孔または前記低誘電率領域は、円形であることを特徴とする電波伝送ケーブル。
【請求項５】
請求項２に記載の電波伝送ケーブルにおいて、
前記空孔または前記低誘電率領域は長方形であり、長方形の前記空孔または前記低誘電率領域の長辺が前記誘電体の長軸と直交することを特徴とする電波伝送ケーブル。
【請求項６】
請求項２に記載の電波伝送ケーブルにおいて、
前記空孔または前記低誘電率領域は楕円形であり、楕円形の前記空孔または前記低誘電率領域の長軸が前記誘電体の長軸と直交することを特徴とする電波伝送ケーブル。
【請求項７】
請求項１に記載の電波伝送ケーブルにおいて、
前記誘電体の断面形状が楕円形であり、前記誘電体の楕円形状の長軸側の両端に、断面形状が弓形であり、弓形の長辺が楕円形状の長軸と直交し、かつ、短軸に対して線対称になるように前記誘電体よりも誘電率の低い低誘電率領域を有することを特徴とする電波伝送ケーブル。
【請求項８】
請求項１に記載の電波伝送ケーブルにおいて、
前記誘電体の断面形状が円形であり、円形の中心から半径に対して８割だけ離れた位置よりも内側でかつ中心に対して点対称になるように、前記誘電体内に空孔または前記誘電体よりも誘電率の低い低誘電率領域を有することを特徴とする電波伝送ケーブル。
【請求項９】
請求項８に記載の電波伝送ケーブルにおいて、
前記空孔または前記低誘電率領域は、円形であることを特徴とする電波伝送ケーブル。
【請求項１０】
請求項８に記載の電波伝送ケーブルにおいて、
前記空孔または前記低誘電率領域は長方形であり、長方形の前記空孔または前記低誘電率領域の長辺が前記誘電体の径方向と直交することを特徴とする電波伝送ケーブル。
【請求項１１】
請求項８に記載の電波伝送ケーブルにおいて、
前記空孔または前記低誘電率領域は楕円形であり、楕円形の前記空孔または前記低誘電率領域の長軸が前記誘電体の径方向と直交することを特徴とする電波伝送ケーブル。
【請求項１２】
請求項１に記載の電波伝送ケーブルにおいて、
前記線状の誘電体の表面と前記金属薄膜の間に前記誘電体よりも誘電率の高い高誘電率領域を有することを特徴とする電波伝送ケーブル。
【請求項１３】
請求項１に記載の電波伝送ケーブルにおいて、
前記線状の誘電体の材料は、ポリエチレンまたはフッ素系樹脂であることを特徴とする電波伝送ケーブル。
【請求項１４】
請求項１に記載の電波伝送ケーブルにおいて、
前記線状の誘電体の材料は、発泡誘電体であることを特徴とする電波伝送ケーブル。
【発明の詳細な説明】
【技術分野】
【０００１】
本発明は、ミリ波無線信号などを伝送する電波伝送ケーブルに関する。
【背景技術】
【０００２】
近年、高速無線通信システムや高分解能レーダシステムを実現するために、マイクロ波（３〜３０GHz）よりも周波数の高いミリ波（３０〜３００GHz）無線信号の利用が進んでいる。ミリ波無線はマイクロ波に比べて直進性が高いため、空間伝搬ではなく伝送ケーブルを利用して配線を行う。図１および図２にミリ波帯伝送ケーブル適用時の概略図を示す。図１の車載レーダや図２の基地局内配線に伝送ケーブル１を適用する場合、伝送ケーブル１はアンテナ２と送受信モジュール３の接続に使用し、伝送ケーブル１は屈曲させて敷設される。そのため、伝送ケーブル１は屈曲性が必要になる。従来のミリ波帯の伝送ケーブルには同軸ケーブルと導波管が存在するが、同軸ケーブルは伝送損失が大きく、金属導波管は屈曲して敷設できないため、伝送損失が小さくかつ屈曲性が高いミリ波帯の伝送ケーブルとして、電波伝送ケーブルが提案されている。
【０００３】
電波伝送ケーブルを示す文献として、特許文献１と特許文献２が知られている。特許文献１は、屈曲部における金属薄膜の短絡の防止と伝送特性の変化の抑制に関するものである。可撓性を有する中空で筒状の誘電体の外周面に網目状の導電体を作製し、さらにその外側に前記筒状の誘電体とは異なる中空の筒状の誘電体を作製することで、金属薄膜の短絡を防止し伝送特性の変化を抑制する。特許文献２は、低コストで伝送効率を低下させない導波管の実現に関するものである。屈曲性のある誘電体棒の表面に金属テープなどの薄い導体を隙間なく貼り付けることで、低コストで伝送効率を低下させない導波管を実現する。
【先行技術文献】
【特許文献】
【０００４】
【特許文献１】特開２０１７−１４７５４８号公報
【特許文献２】特開平８−１９５６０５号公報
【発明の概要】
【発明が解決しようとする課題】
【０００５】
電波伝送ケーブル４の構成例を、図３に示す。電波伝送ケーブル４は、断面が円形または楕円形状に形成された屈曲性を有する線状の誘電体５と、線状の誘電体の表面に形成した金属薄膜６で構成される。ここで、電波伝送ケーブル４の動作例を図４を用いて説明する。送信アンテナ７から出力された無線信号は、電波伝送ケーブル４に入力され誘電体５および金属薄膜６を伝搬する。その後、電波伝送ケーブル４の端面に到達した無線信号は端面から放出され、受信アンテナ８で受信される。この際、信号対ノイズ比を増加させ高品質にミリ波無線信号を伝送するためには、電波伝送ケーブル４の断面径を増加させ、送信アンテナ７から出力される無線信号を効率よく電波伝送ケーブル４に入力し、電波伝送ケーブル４の端面から出力された無線信号を受信アンテナ８に入力することが必要になる。
【０００６】
上述のように、電波伝送ケーブルの断面径を増加することで送信アンテナから出力された無線信号を効率よく電波伝送ケーブルに入力できるが、電波伝送ケーブルの断面径が増加するにつれて電界ベクトルの異なる伝搬モードが存在可能になる。ある断面径における電波伝送ケーブルに励起可能な電界ベクトルの一例を図５に示す。図５に示す伝搬モード９〜１３において、伝搬モード９が最低次の伝搬モードであり、通常、この伝搬モードを電波伝送ケーブル内に励起して伝搬する。ここで、図５の伝搬モード９〜１３の伝搬定数はモード毎に異なるため、伝搬モード９を電波伝送ケーブル内を伝搬させても、屈曲部で他の伝搬モード１０〜１３にエネルギーが移行する伝搬モード分散と呼ばれる現象が発生する。この伝搬モード分散によって、無線信号の信号品質が劣化するため、屈曲部における伝搬モード分散を低減することが重要になる。
【０００７】
特許文献１および２のように、屈曲性のある電波伝送ケーブルの伝送損失の低減と金属薄膜の短絡を抑制する技術は知られているが、屈曲部における伝搬モード分散を低減する電波伝送ケーブルは知られていない。
【０００８】
本発明の目的は、屈曲部における伝搬モード分散を抑制し、高品質な信号伝送可能な電波伝送ケーブルを提供するものである。
【課題を解決するための手段】
【０００９】
上記課題を解決するための、本発明の「電波伝送ケーブル」の一例を挙げるならば、
屈曲性を有する線状の誘電体と、前記線状の誘電体の表面に形成した金属薄膜を備える電波伝送ケーブルであって、前記誘電体の断面において、中心に対して対称になるように、前記誘電体内に空孔または前記誘電体よりも誘電率の低い低誘電率領域を有するものである。
【発明の効果】
【００１０】
本発明によれば、屈曲部における伝搬モード分散を低減し、高品質な信号伝送可能な電波伝送ケーブルを提供することができる。
【図面の簡単な説明】
【００１１】
【図１】電波伝送ケーブルの車載適用時の概略図である。
【図２】電波伝送ケーブルの基地局内配線適用時の概略図である。
【図３】従来の電波伝送ケーブルの概略図である。
【図４】電波伝送ケーブルの通信環境の概略図である。
【図５】電波伝送ケーブルの電界分布を示す図である。
【図６】従来技術における電波伝送ケーブル屈曲時の電磁界シミュレーション結果を示す図である。
【図７】従来技術における電波伝送ケーブル屈曲時の、入力ポートに対する出力ポートの信号パワーの変化量を示す図である。
【図８】本発明の実施例１の電波伝送ケーブルの概略図である。
【図９】実施例１の電波伝送ケーブルの通信環境の概略図である。
【図１０】実施例１の電波伝送ケーブルの断面図である。
【図１１】実施例１における電波伝送ケーブル屈曲時の電磁界シミュレーション結果を示す図である。
【図１２】実施例１における電波伝送ケーブル屈曲時の、入力ポートに対する出力ポートの信号パワーの変化量を示す図である。
【図１３】実施例１における空孔の位置に対する入力ポートから出力ポートへの信号パワーの変化量を示す図である。
【図１４】実施例２の電波伝送ケーブルの概略図である。
【図１５】実施例３の電波伝送ケーブルの概略図である。
【図１６】実施例４の電波伝送ケーブルの概略図である。
【図１７】実施例５の電波伝送ケーブルの概略図である。
【図１８】実施例５における空孔の位置に対する入力ポートから出力ポートへの信号パワーの変化量を示す図である。
【図１９】実施例６の電波伝送ケーブルの概略図である。
【発明を実施するための形態】
【００１２】
従来の電波伝送ケーブルは、屈曲部において伝搬モード分散が発生し、無線信号の伝搬時に信号品質が劣化する恐れがある。伝搬モード分散について、図６および図７を用いて詳細に説明する。図６は、図５の最低次の伝搬モード９を入力ポート１４に励起し、電波伝送ケーブル４を９０度屈曲させて無線信号を伝搬したときの電磁界シミュレーションの解析結果である。図６を見ると、屈曲部において電界分布に変化が生じ、入力ポート１４付近と出力ポート１５付近で電界分布が変化していることを確認できる。このように電界分布に変化が生じる原因は以下のとおりである。電波伝送ケーブル４に屈曲が生じると、屈曲部外側４ｂは屈曲部内側４ａよりもケーブル内の伝搬距離が増加する。このため、伝搬モード９の電界分布を維持するために、屈曲部外側４ｂにおける伝搬モードの伝搬速度ｖｐが屈曲部内側４ａよりも増加する。伝搬速度ｖｐと位相定数βには以下の（１）式の関係が成立する。
【００１３】
【数１】
2020096323.tif 000003
ここで、ｆは無線信号の周波数である。（１）式より、屈曲部外側４ｂにおける伝搬速度ｖｐが増加、つまり位相定数βが低下する。ここで、図５の伝搬モード１０〜１３の位相定数は、励起した伝搬モード９の位相定数よりも低いため、屈曲部における所望の伝搬モードの位相定数の低下によって、他の伝搬モードにエネルギーが移行し、電波伝送ケーブル内に複数の伝搬モードが存在するために電界分布に乱れが生じる。
【００１４】
また、図７は、最低次の伝搬モード９の入力ポート１４に対する出力ポート１５の信号パワーの変化量を示している。比較のために、ケーブルに屈曲がないときの結果も併せて示しており、破線が屈曲がある場合、一点鎖線が屈曲がない場合のシミュレーション結果である。図７の結果より、屈曲によって伝搬モード９の信号パワーが大きく減少していることがわかる。
【００１５】
本発明は、屈曲部における伝搬モード分散を抑制し、高品質な信号伝送可能な電波伝送ケーブルを提供するものである。
【００１６】
以下、本発明の好適な実施形態について、添付図面を参照しながら詳細に説明する。なお、実施形態を説明するための各図において、同一の構成要素にはなるべく同一の名称、符号を付して、その繰り返しの説明を省略する。
【実施例１】
【００１７】
本発明の実施例１の電波伝送ケーブルの構成例を、図８に示す。実施例１の電波伝送ケーブル１６は、断面が楕円形状に形成された屈曲性を有する線状の誘電体１７、線状の誘電体１７の表面に形成した金属薄膜１８、誘電体１７内の空孔１９または誘電体１７よりも誘電率の低い低誘電率領域２０で構成する。誘電体１７の材料は電波伝送ケーブルの損失を低減するためにポリエチレンやフッ素系樹脂等の誘電正接の低い材料を用いる。誘電体１７の好ましい誘電正接は、０．０００１〜０．０１である。また、誘電体１７の楕円形状の長軸と短軸の比は、電波伝送ケーブル内での無線信号の偏波回転を防ぐために、短軸と長軸の長さ比が１:１．５以上にする。ここで、誘電体１７は、さらなる低損失化のために発泡ポリエチレンなどの発泡誘電体を用いても良い。さらに、空孔１９または低誘電率領域２０の断面形状は円形であり、誘電体１７の焦点よりも内側で、かつ短軸に対して線対称になるように作製する。
【００１８】
電波伝送ケーブル１６の動作例は、図９を用いて上述の図４と同様に説明できる。送信アンテナ７から出力された無線信号は、電波伝送ケーブル１６に入力され電波伝送ケーブル１６を伝搬する。その後、電波伝送ケーブル１６の端面に到達した無線信号は端面から放出され、受信アンテナ８で受信される。
【００１９】
次に、電波伝送ケーブル１６に作製した空孔１９または低誘電率領域２０によって、屈曲部における伝搬モード分散を低減する原理について図１０を用いて説明する。一般に、電界は誘電率の高い物体に集中する性質があり、電波伝送ケーブルにおいても同様である。そのため、本実施例の電波伝送ケーブルに図５の最低次の伝搬モード９を励起させると、空孔１９または低誘電率領域２０は誘電体１７よりも誘電率が低いため、図１０のように誘電体１７の中心部２１に電界分布が集中した伝搬モード２２を励起させることができる。これにより、屈曲時においても誘電体１７の中心部２１に電界分布を集中させることができるため、屈曲部の内側と外側の速度(位相定数)差の発生を防ぎ、伝搬モード分散を抑制できる。
【００２０】
図１１と図１２に、本実施例を用いた場合の屈曲させた電波伝送ケーブルのシミュレーション結果を示す。図１１は電波伝送ケーブル１６の電界分布を示し、図１２は入力ポート１４に対する出力ポート１５における信号パワーの変化量を示している。図１２において、実線は本実施例の、破線は図７の従来技術のシミュレーション結果である。図１１を見ると、屈曲部においても入力ポート１４付近と出力ポート１５付近の電界分布に差がないことを確認できる。また、図１２より、従来方式に比べて無線信号の減衰を低減できていることを確認できる。
【００２１】
図１３に、図１１のように電波伝送ケーブルを屈曲させた状態で、空孔１９または低誘電率領域２０の位置を長軸に対して平行移動させたときの伝搬損失の変化を示す。図１３の横軸は、誘電体１７の断面の楕円体の長軸に対する誘電体１７の断面の中心から空孔１９（または低誘電率領域２０）までの距離の割合を表しており、縦軸は入力ポート１４から出力ポート１５における信号パワーの変化量を示している。また、図１３の点線部は誘電体１７の焦点位置であり、空孔１９または低誘電率領域２０の位置が焦点距離を超えると損失が増加している。これにより、空孔１９または低誘電率領域２０は、焦点よりも内側に作製することで、伝搬モード分散の低減効果を増大させることができる。
【００２２】
本実施例によれば、電波伝送ケーブルを、断面形状が楕円形に形成された屈曲性を有する線状の誘電体と、線状の誘電体の表面に形成した金属薄膜を有し、楕円形の焦点よりも内側で、かつ短軸に対して線対称になるように誘電体内に空孔または誘電体よりも誘電率の低い低誘電率領域を作製することで、屈曲部における伝搬モード分散を低減し、高品質な信号伝送可能な電波伝送ケーブルを提供することができる。
【実施例２】
【００２３】
本発明の実施例２は、上記実施例１と同様に構成できる。ただし、本実施例の形態に係わる電波伝送ケーブルは、図１４に示すように空孔または低誘電率領域の形状が長方形である点で上記の実施例１と異なる。
【００２４】
図１４に示された電波伝送ケーブル１６は、断面が楕円形状に形成された線状の誘電体１７、線状の誘電体の表面に形成した金属薄膜１８、誘電体１７内に設けた空孔２３または誘電体１７よりも誘電率の低い低誘電率領域２４で構成される。ここで、空孔２３または低誘電率領域２４の断面形状は長方形であり、長方形の長辺を誘電体１７の長軸と直交させる。さらに、誘電体１７の焦点よりも内側でかつ短軸に対して線対称の位置に作製する。誘電体１７に作製した空孔２３または低誘電率領域２４によって、電波伝送ケーブルに励起した電界を誘電体１７の中心部に集中させることができるため、屈曲部における電波伝送ケーブルの内側と外側の速度差（位相差）を低減可能で、伝搬モード分散を抑制できる。
【００２５】
本実施例によれば、屈曲部における伝搬モード分散を低減し、無線信号を高品質に伝送可能な電波伝送ケーブルを提供することができる。
【実施例３】
【００２６】
本発明の実施例３は、上記実施例１および実施例２と同様に構成できる。ただし、本実施例の形態に係わる電波伝送ケーブルは、図１５に示すように空孔または低誘電率領域の形状が楕円体である点で上記の実施例と異なる。
【００２７】
図１５に示された電波伝送ケーブル１６は、断面が楕円形状に形成された線状の誘電体１７、線状の誘電体の表面に形成した金属薄膜１８、誘電体１７内に形成した空孔２５または誘電体１７よりも誘電率の低い低誘電率領域２６で構成される。ここで、空孔２５または低誘電率領域２６の断面形状は楕円体であり、誘電体１７の焦点よりも内側で、かつ短軸に対して線対称の位置に作製する。ここで、空孔２５または低誘電率領域２６の楕円体の長軸を、誘電体１７の長軸と直交させる。誘電体１７に作製した空孔２５または低誘電率領域２６によって、電波伝送ケーブルに励起した電界を誘電体１７の中心部に集中させることができるため、屈曲部における電波伝送ケーブルの内側と外側の速度差（位相差）を低減可能で、伝搬モード分散を抑制できる。
【００２８】
本実施例によれば、屈曲部における伝搬モード分散を低減し、無線信号を高品質に伝送可能な電波伝送ケーブルを提供することができる。
【実施例４】
【００２９】
本発明の実施例４は、上記実施例１〜３と同様に構成できる。ただし、本実施例の形態に係わる電波伝送ケーブルは、図１６に示すように誘電体の断面形状について、楕円形の長軸の両端に短軸に対して対称、かつ、長軸に垂直に弓形の低誘電率領域を有している点で上記の各実施例と異なる。
【００３０】
図１６に示された電波伝送ケーブル１６は、断面が楕円形状に形成された線状の誘電体１７、線状の誘電体の表面に形成した金属薄膜１８、誘電体１７よりも誘電率の低い低誘電率領域２７で構成される。ここで、低誘電率領域２７の断面形状は弓形であり、楕円形の長軸の両端に、弓形の長辺が長軸に直交し、かつ短軸に対して対称に作製する。誘電体１７に作製した低誘電率領域２７によって、電波伝送ケーブルに励起した電界を誘電体１７の中心部に集中させることができるため、屈曲部における電波伝送ケーブルの内側と外側の速度差（位相差）を低減可能で、伝搬モード分散を抑制できる。
【００３１】
本実施例によれば、屈曲部における伝搬モード分散を低減し、無線信号を高品質に伝送可能な電波伝送ケーブルを提供することができる。また、誘電体内に空孔を形成し低誘電率領域を形成する場合に比べて、製造が容易である。
【実施例５】
【００３２】
本発明の実施例５は、上記実施例１〜３と同様に構成できる。ただし、本実施例の形態に係わる電波伝送ケーブルは、図１７に示すように誘電体２８の断面が円形である点で上記の実施例と異なる。
【００３３】
図１７に示された電波伝送ケーブル１６は、断面が円形状に形成された線状の誘電体２８、線状の誘電体の表面に形成した金属薄膜１８、誘電体２８内に形成した空孔１９または誘電体２８よりも誘電率の低い低誘電率領域２０で構成され、円の中心に対して点対称な位置に作製する。
【００３４】
図１８に、電波伝送ケーブルを屈曲させた状態で、空孔１９または低誘電率領域２０の位置を変化させたときの伝搬損失の変化を示す。図１８の横軸は、誘電体２８の断面の円形の半径に対する誘電体２８の断面の中心から空孔１９または低誘電率領域２０までの距離の割合を表しており、縦軸は入力ポートから出力ポートまでの信号パワーの変化量を示している。図１８の結果より、空孔１９または低誘電率領域２０の位置が  半径×０．８  を超えると損失が大きく増加している。これより、空孔１９または低誘電率領域２０は、誘電体２８の円の中心から半径×０．８だけ離れた位置よりも内側に作製することで、伝搬モード分散の低減効果を増大させることができる。また、空孔１９または低誘電率領域２０の断面形状は、実施例１〜３のように円形、長方形または楕円形のいずれかで構成する。誘電体２８内に作製した空孔１９または低誘電率領域２０によって、電波伝送ケーブルに励起した電界を誘電体２８の中心部に集中させることができるため、屈曲部における電波伝送ケーブルの内側と外側の速度差（位相差）を低減可能で、伝搬モード分散を抑制できる。
【００３５】
本実施例によれば、電波伝送ケーブルを、断面形状が円形に形成された線状の誘電体と、誘電体表面に形成した金属薄膜を有し、円の中心から半径×０．８だけ離れた位置よりも内側で、かつ中心に対して点対称になるように誘電体に空孔または誘電体よりも誘電率の低い低誘電率領域を作製することで、屈曲部における伝搬モード分散を低減し、無線信号を高品質に伝送可能な電波伝送ケーブルを提供することができる。
【実施例６】
【００３６】
本発明の実施例６は、上記実施例１〜４と同様に構成できる。ただし、本実施例の形態に係わる電波伝送ケーブルは、図１９に示すように誘電体１７と金属薄膜１８の間に誘電体１７よりも誘電率の高い高誘電率領域３０を有する点で上記の各実施例と異なる。
【００３７】
図１９に示された電波伝送ケーブル１６は、断面が楕円形状に形成された線状の誘電体１７、誘電体１７の周囲に設けた誘電体１７よりも誘電率の高い高誘電率領域３０、その表面に形成した金属薄膜１８、誘電体１７内の空孔１９または誘電体１７よりも誘電率の低い低誘電率領域２０で構成される。ここで、高誘電率領域３０は、ポリエチレンやフッ素系樹脂等の誘電体を用いる。空孔１９または低誘電率領域２０の形状と位置は、高誘電率領域３０の楕円体に対して実施例１〜３と同様に作製する。誘電体１７に作製した空孔１９または低誘電率領域２０によって、電波伝送ケーブルに励起した電界を前記誘電体１７の中心部に集中させることができるため、屈曲部における電波伝送ケーブルの内側と外側の速度差（位相差）を低減可能で、伝搬モード分散を抑制できる。
【符号の説明】
【００３８】
４  電波伝送ケーブル
５  誘電体
６  金属薄膜
７  送信アンテナ
８  受信アンテナ
９  最低次の伝送モード
１４  入力ポート
１５  出力ポート
１６  電波伝送ケーブル
１７，２８  誘電体
１８  金属薄膜
１９，２３，２５  空孔
２０，２４，２６  低誘電率領域
２７  低誘電率領域
３０  高誘電率領域
【図１】
2020096323.tif 000004
【図２】
2020096323.tif 000005
【図３】
2020096323.tif 000006
【図４】
2020096323.tif 000007
【図５】
2020096323.tif 000008
【図６】
2020096323.tif 000009
【図７】
2020096323.tif 000010
【図８】
2020096323.tif 000011
【図９】
2020096323.tif 000012
【図１０】
2020096323.tif 000013
【図１１】
2020096323.tif 000014
【図１２】
2020096323.tif 000015
【図１３】
2020096323.tif 000016
【図１４】
2020096323.tif 000017
【図１５】
2020096323.tif 000018
【図１６】
2020096323.tif 000019
【図１７】
2020096323.tif 000020
【図１８】
2020096323.tif 000021
【図１９】
2020096323.tif 000022